(57)【要約】【課題】スプレーガンの側方に取り付けた塗料容器の下部に支持具を突き出してその下端とスプレーガン頭部、握り部の下端の３点でスプレーガンを安定的に保持するための支持装置として、低いコストで簡単にかつ不使用時には邪魔にならないように位置を簡単に変えることができる装置を提供する。【解決手段】支持具を薄板状とし、塗料容器の継手部にはめ込み、かつ継手の軸廻りに回動自在となるように構成することによって、支持具の下端位置の調節と不要時の片付けを可能にした。【選択図】　図１
2004009035.tif 000002
【特許請求の範囲】
【請求項１】
塗装用スプレーガンの側方に設けた塗料継手に着脱可能に取り付け、スプレーガンに塗料を供給する塗料カップの継手部に、薄板状で、一方に前記継手部と嵌合する固定手段を形成し、他方に舌状に延出した支持部を形成した支持具を回動自在に取り付けてなるスプレーガン塗料カップの倒れ防止装置。
【請求項２】
継手部と嵌合する固定手段は、ジャミナットを設け支持具の嵌合部を挟持するよう構成した請求項１に記載のスプレーガン塗料カップの倒れ防止装置。
【請求項３】
継手部と嵌合する固定手段は、継手部と支持具の嵌合部との接合部に凹凸の係合部を形成してなる請求項１に記載のスプレーガン塗料カップの倒れ防止装置。
【発明の詳細な説明】
【０００１】
【発明の属する技術分野】
本発明は、塗料等を噴霧するスプレーガンの塗料カップに関する。特にスプレーガンの側方に継手を介して塗料カップを取り付けた場合、作業の中断時に塗料カップを付けたままの状態で置こうとした時に、倒れないようにするための支持部材に関する。
【０００２】
【従来の技術】
塗料容器をスプレーガンに直接取り付けて塗装を行うスプレーガンは、比較的少量の塗装に適合し、小物塗装や色替えが必要な塗装に多く使用されている。これらの場合、容器をスプレーガンの下方に取り付ける場合と、上方に取り付ける場合が有るが、上方の場合、その多くが側方に継手部を設け、同じく塗料容器の下部側方に設けた継手部を回動自在に取り付けている。
【０００３】
下方に容器を取り付けた場合、比較的大きな容器であることと、スプレーガンが容器の上に位置することで、容器の底面でスプレーガンを安定して支持できるが、側方に取り付けた場合は、スプレーガンを平面に載置する場合、支持点がスプレーガン頭部と握り部の下部の２点では安定支持できないため、横に取り付けた塗料容器の底が第３の支持点となる。しかしその支持点は他の２点より高い位置にあるため傾きが大きく、倒れたりするため、容器に塗料を残したまま作業を中断する場合、その始末が大変面倒で注意を必要とする。すなわちスプレーガンを一時置いておく場合に何かに固定して安定した置き場所を設けるか、塗料を容器から一時排出しておく等の対応が必要となってくる。
【０００４】
このための対策として、特開２０００−３７６４３や特開平８−２９９８６９に見られるように容器の下部に支持部を延ばし平面状に載置できるようにした塗料容器が提案されている。図に示された例はその１例であり、容器に支持突起が固定されている。
【０００５】
しかしながら従来の構造の場合、容器下方に延びる支持部材は固定されているためスプレーガンの種類、大きさによって設置の状態が変わり、不安定のケースが起こる。そのために下端をねじによって調節できるようにしたものが提案されているが、不要の際に邪魔になることに変わりはなく、収納・保管の際にはいたずらに大きなスペースを必要とする。商業的に見れば商品としてパッケージした場合に大きな箱が必要で、保管や輸送コストの増大をもたらす結果となる。
【０００６】
【発明が解決しようとする課題】
本発明は、前記した従来の問題点を改善し、簡単な構成による支持部材を設けて使用上の問題を解決すると共に、より使い易くコストの低い支持部材を得て、商業的にも輸送保管コストの増大を防ぐことのできる装置を提供することを目的とする。
【０００７】
【問題を解決するための手段】
本発明は、塗装用スプレーガンの側方に設けた塗料継手に着脱可能に取り付け、スプレーガンに塗料を供給する塗料カップの継手部に、薄板状で、一方に前記継手部と嵌合する固定手段を形成し、他方に舌状に延出した支持部を形成した支持具を回動自在に取り付けたものである。
【０００８】
継手部に固定する固定手段は継手部品によって固定されうる嵌合部、挟持部等により継手部に対して回動できる方法で、継手部と嵌合する固定手段は、ジャミナットにより支持具の嵌合部を挟持する構成もしくは、継手部と支持具の嵌合部との接合部にローレット等の加工を施した凹凸の係合部を形成して噛み合わせた構成が使用される。
【０００９】
【発明の実施の形態】
以下に、本発明の一実施例を添付図面に基づいて詳細に説明する。
図１は本発明の一実施例をスプレーガンに取り付けた状態を示す図で、スプレーガンの正面からみている。スプレーガン本体１は周知のスプレーガンで構造自体限定されないが、塗料の供給口につながる塗料継手５が側方に設けられている。塗料容器２は袋ナットを用いた継手６により接続され、軸に対して回転角度が自在に調節、固定できるようになっている。この実施例の場合、支持部材３が継手６の袋ナット６Ａと容器のボス部２Ａとの間にジャミナット４によって挟持され、所定の位置に固定される。
【００１０】
固定手段の支持部材３は、薄い金属板で作成され、継手部の外周にはめこまれる形状としている。図３，図４に示す他の実施例はジャミナットの固定なしにはめ込みのみで固定できる形状を示しており、図２のように下方からＵ字状の嵌合部３Ｂを継手部の外周にはめて固定する場合、嵌合部は強く固定され、かつ回動が可能となるように材質もしくは寸法上の調節が必要となる。
【００１１】
また図４の場合は継手部の外周をローレット６Ｂとし、嵌合部３Ｂの少なくとも一部に突起３Ｃを形成して、はめ込んだ時にローレット６Ｂの溝部と突起３Ｃが係合して通常の載置程度の力では回動せず、必要な時には回動できるようにしている。この場合も嵌合部３Ｂは、材質もしくは寸法上の適切な選択が必要で有るが、図２に比較して確実な固定が可能となる。
固定手段は、実施例の他にもボス部又は軸部と嵌合部との接合部に、凹凸の組合せ等による回動阻止の手段が採用されうる。
【００１２】
以上の如き実施例に基づき、スプレーガンを使用し、作業の中断により又は休止をする場合、塗料容器をスプレーガンに付けたまま、又は容器に塗料を残したまま図２に示すようにスプレーガンの頭部支持点Ａと握り部の下方の支持点Ｂを水平にしたときに塗料容器２が垂直になるよう塗料容器２の傾きを、継手６部で調節固定することによって支持部の下端Ｃとの３点でスプレーガンは支持され安定状態で載置される。
またスプレーガンの大きさが異なったり、頭部の位置によって支持点の変化が有った場合には、図２の（ロ）に示すように支持具３の取付角度を変えることによって簡単に調節出来、安定を維持できる。
【００１３】
【発明の効果】
本発明の場合、スプレー作業の中断時、塗料容器の片付けをせずに一時的に平面上に置いておく場合に安定した載置ができる支持具を設けたスプレーガンとして、簡単な支持具を得ることができ、高いコストを掛けずに使用上の不便さを解消できる。またスプレーガンの大きさ・種類や先端部の使用状態が変化しても簡単に位置を変えて安定できる位置を設定できる
【００１４】
更に、スプレー作業時に不必要な支持部を、従来のように取り外して無くしてしまうこと無く、容器側に回転して邪魔にならないようにできる他、塗料容器をパッケージに収納する場合に余分な突き出しが無いためその大きさを最小限で済ませられるため、輸送や保管等にかかる流通経費が大きく削減される効果が得られる。
【図面の簡単な説明】
【図１】本発明の一実施例を設けたスプレーガン全体を示す構成図
【図２】本発明の使用状態を示す説明図
【図３】支持具の他の取付例を示す図
【図４】支持具の他の実施例を示す図
【符号の説明】
１、スプレーガン本体
２、塗料容器
３、支持具
３Ｂ、嵌合部
４、ジャミナット
５、塗料継手
６、継手部
【図１】
2004009035.tif 000003
【図２】
2004009035.tif 000004
【図３】
2004009035.tif 000005
【図４】
2004009035.tif 000006